【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
取り付けられたカートリッジから供給される記録材を用いて画像を形成する画像形成装置であって、
新しいカートリッジの自動発注サービスが利用されているかを判定する判定手段と、
前記自動発注サービスに関する情報を通知する通知手段と、
を有し、
前記通知手段は、
前記判定手段により前記自動発注サービスが利用されていないと判定された場合、新しいカートリッジを購入するためのサイトを表示するための情報を通知し、
前記判定手段により前記自動発注サービスが利用されていると判定された場合、新しいカートリッジの発注状況または配送状況を表示するための情報を通知する、
ことを特徴とする画像形成装置。
【請求項２】
前記通知手段は、前記判定手段により前記自動発注サービスが利用されていないと判定された場合、新しいカートリッジに関する発注状況または配送状況を表示するための情報を通知しないことを特徴とする請求項１に記載の画像形成装置。
【請求項３】
前記通知手段は、情報処理装置に前記通知を行うことを特徴とする請求項１または２に記載の画像形成装置。
【請求項４】
前記情報処理装置からリクエストを受信する受信手段をさらに有し、
前記通知手段は、
前記判定手段により前記自動発注サービスが利用されていないと判定された場合において前記受信手段が前記リクエストを受信したことに応じて、前記新しいカートリッジを購入するためのサイトを表示するための情報を通知し、
前記判定手段により前記自動発注サービスが利用されていると判定された場合において前記受信手段が前記リクエストを受信したことに応じて、前記新しいカートリッジの発注状況または配送状況を表示するための情報を通知する、
ことを特徴とする請求項３に記載の画像形成装置。
【請求項５】
前記判定手段は、前記受信手段が前記リクエストを受信したことに基づき前記判定を行うことを特徴とする請求項４に記載の画像形成装置。
【請求項６】
前記リクエストは、前記取り付けられたカートリッジに関する情報の取得リクエストであることを特徴とする請求項４または５に記載の画像形成装置。
【請求項７】
前記通知手段は、前記新しいカートリッジを購入するためのサイトを表示するための情報または前記新しいカートリッジの発注状況または配送状況とともに、前記取り付けられたカートリッジに関する情報を通知することを特徴とする請求項１乃至６のいずれか一項に記載の画像形成装置。
【請求項８】
前記取り付けられたカートリッジに関する情報は、前記取り付けられたカートリッジの残量情報であることを特徴とする請求項６または７に記載の画像形成装置。
【請求項９】
前記通知手段は、前記取り付けられたカートリッジに保持される記録材の残量にかかわらず、前記新しいカートリッジを購入するためのサイトを表示するための情報または前記新しいカートリッジの発注状況または配送状況の通知を行うことを特徴とする請求項１乃至８のいずれか一項に記載の画像形成装置。
【請求項１０】
前記新しいカートリッジの発注状況または配送状況を表示するための情報は、前記新しいカートリッジの発注状況または配送状況を表示するサイトのURLであることを特徴とする請求項１乃至９のいずれか一項に記載の画像形成装置。
【請求項１１】
前記自動発注サービスは、前記取り付けられたカートリッジに保持される記録材の残量が閾値以下になったことに基づき、ユーザ操作なしに新しいカートリッジの発注を行うサービスであることを特徴とする請求項１乃至１０のいずれか一項に記載の画像形成装置。
【請求項１２】
取り付けられたカートリッジから供給される記録材を用いて画像を形成する画像形成装置と通信可能な情報処理装置であって、
新しいカートリッジに関する情報を表示するためのオブジェクトを表示手段に表示させる第１の制御手段と、
新しいカートリッジの自動発注サービスが利用されている場合、前記オブジェクトが選択されたことに基づき、前記新しいカートリッジの発注状況又は発送状況を前記表示手段に表示させ、
前記新しいカートリッジの自動発注サービスが利用されていない場合、前記オブジェクトが選択されたことに基づき、前記新しいカートリッジの発注状況または発送状況を含まず、前記新しいカートリッジの購入するためのサイトを前記表示手段に表示させる第２の制御手段と、
を有することを特徴とする情報処理装置。
【請求項１３】
前記情報処理装置は、
前記自動発注サービスを利用するかを示す情報を記憶手段に記憶し、
前記第１の制御手段は、前記記憶手段が記憶する前記情報に基づき、前記オブジェクトを表示させることを特徴とする請求項１２に記載の情報処理装置。
【請求項１４】
前記画像形成装置に取り付けられたカートリッジが保持する記録材の残量情報を前記画像形成装置から受信する受信手段をさらに有し、
前記第１の制御手段は、前記受信手段が受信した前記残量情報が示す残量が閾値以下である場合、前記残量と前記オブジェクトを前記表示手段に表示させる、
ことを特徴とする請求項１２または１３に記載の情報処理装置。
【請求項１５】
所定時間ごとに前記画像形成装置に前記取り付けられたカートリッジが保持する記録材の残量の取得リクエストを前記画像形成装置に送信する送信手段をさらに有し、
前記受信手段は、前記送信手段が送信した前記取得リクエストの応答を受信する、
ことを特徴とする請求項１４に記載の情報処理装置。
【請求項１６】
取り付けられたカートリッジから供給される記録材を用いて画像を形成する画像形成装置の制御方法であって、
新しいカートリッジの自動発注サービスが利用されているかを判定する判定工程と、
前記判定工程において前記自動発注サービスが利用されていないと判定された場合、新しいカートリッジを購入するためのサイトを表示するための情報を通知する第１の通知工程と、
前記判定工程において前記自動発注サービスが利用されていると判定された場合、新しいカートリッジの発注状況または配送状況を表示するための情報を通知する第２の通知工程と、
を有することを特徴とする画像形成装置の制御方法。
【請求項１７】
取り付けられたカートリッジから供給される記録材を用いて画像を形成する画像形成装置と通信可能な情報処理装置の制御方法であって、
新しいカートリッジに関する情報を表示するためのオブジェクトを表示手段に表示させる第１の制御工程と、
新しいカートリッジの自動発注サービスが利用されている場合、前記オブジェクトが選択されたことに基づき、前記新しいカートリッジの発注状況又は発送状況を前記表示手段に表示させる第２の制御工程と、
前記新しいカートリッジの自動発注サービスが利用されていない場合、前記オブジェクトが選択されたことに基づき、前記新しいカートリッジの発注状況または発送状況を含まず、前記新しいカートリッジの購入するためのサイトを前記表示手段に表示させる第３の制御工程と、
を有することを特徴とする情報処理装置の制御方法。
【請求項１８】
取り付けられたカートリッジから供給される記録材を用いて画像を形成する画像形成装置と通信可能な情報処理装置にインストールされるアプリケーションであって、
新しいカートリッジに関する情報を表示するためのオブジェクトを表示手段に表示させる第１の制御工程と、
新しいカートリッジの自動発注サービスが利用されている場合、前記オブジェクトが選択されたことに基づき、前記新しいカートリッジの発注状況又は発送状況を前記表示手段に表示させる第２の制御工程と、
前記新しいカートリッジの自動発注サービスが利用されていない場合、前記オブジェクトが選択されたことに基づき、前記新しいカートリッジの発注状況または発送状況を含まず、前記新しいカートリッジの購入するためのサイトを前記表示手段に表示させる第３の制御工程と、
を前記情報処理装置に実行させるアプリケーション。